(57)【要約】      （修正有）【課題】豊かなコーヒー泡で更に消費者からコーヒーに対する愛着が得られるようにしたコーヒー発泡装置を提供する。【解決手段】コーヒー発泡装置は、コーヒーカートリッジ１を有し、コーヒーカートリッジの底部の中央部にノズル本体２が設けられ、ノズル本体の中心部にスルーホールが設けられ、スルーホールのコーヒーカートリッジ底部近傍の一端に単穴金属フィルタ３が設けられ、スルーホールのもう一端に邪魔板が設けられ、邪魔板とスルーホールの側壁との間に複数の小穴が設けられ、単穴金属フィルタと邪魔板との間に位置するスルーホールの側壁に外部と連通する吸気口が設けられる。コーヒー液が単穴金属フィルタから高速で噴出されて底部邪魔板に衝突すると、コーヒー液が分散され空気と混合してコーヒーの泡が生成され、圧力差で空気が側壁の小穴に吸いこまれて、コーヒー液が連続的に流れ出る時にまたコーヒー液と混合されてコーヒーの泡が生成される。【選択図】図２
0003188802.tif 000002
【実用新案登録請求の範囲】
【請求項１】
コーヒー発泡装置であって、コーヒーカートリッジを有し、前記コーヒーカートリッジの底部の中央部にノズル本体が設けられ、前記ノズル本体の中心部にスルーホールが設けられ、当スルーホールがコーヒーカートリッジの底部の近傍の一端に単穴金属フィルタが設けられ、スルーホールのもう一端に邪魔板が設けられ、邪魔板とスルーホールの側壁との間に複数の小穴が設けられ、単穴金属フィルタと邪魔板との間に位置するスルーホールの側壁に外部と連通される吸気口が設けられるようにしたことを特徴とするコーヒー発泡装置。
【請求項２】
前記単穴金属フィルタとコーヒーカートリッジが干渉嵌めによって固定されるようにしたことを特徴とする請求項１に記載のコーヒー発泡装置。
【請求項３】
前記邪魔板が円盤状に設けられ、水平にスルーホールの中心部に設置されるようにしたことを特徴とする請求項１に記載のコーヒー発泡装置。
【請求項４】
前記邪魔板の上表面が滑らかな面に設けられ、或いは、該上表面にリブ又はバンプが設けられるようにしたことを特徴とする請求項１に記載のコーヒー発泡装置。
【請求項５】
底部邪魔板とスルーホールの側壁との間に四つの小穴が設けられ、前記小穴が９０度の間隔で配列されて且つ邪魔板のスルーホールの側壁に近傍に設置されるようにしたことを特徴とする請求項１に記載のコーヒー発泡装置。
【請求項６】
前記スルーホールの側壁の上に位置する吸気口が金属フィルタに近接して設置されるようにしたことを特徴とする請求項１に記載のコーヒー発泡装置。
【考案の詳細な説明】
【技術分野】
【０００１】
本考案はコーヒー発泡装置に関する。
【背景技術】
【０００２】
既存のコーヒー装置は高圧湯とコーヒー粉がコーヒー液に混合され、コーヒー液がコーヒーカートリッジの底部の穴からフィルタバケットに流入される。コーヒー液は空気と十分に混合されず、コーヒー液の発泡が少ないために、コーヒーの香りは完全に分散されない。
【考案の概要】
【考案が解決しようとする課題】
【０００３】
本考案が提案したコーヒー発泡装置は、その背景技術の不足点を克服している。本考案のコーヒー発泡装置に対しては豊かな泡でコーヒーの香りが完全に分散される。
【課題を解決するための手段】
【０００４】
その課題を解決するための手段は以下を含む。
【０００５】
コーヒー発泡装置には、コーヒーカートリッジを有し、前記コーヒーカートリッジの底部の中央部にノズル本体が設けられ、前記ノズル本体の中心部にスルーホールが設けられ、当スルーホールがコーヒーカートリッジの底部の近傍の一端に単穴金属フィルタが設けられ、スルーホールのもう一端に邪魔板が設けられ、邪魔板とスルーホールの側壁との間に複数の小穴が設けられ、単穴金属フィルタと邪魔板との間に位置するスルーホールの側壁に外部と連通される吸気口が設けられるようにしたコーヒー発泡装置。
【０００６】
前記単穴金属フィルタとコーヒーカートリッジが干渉嵌めによって固定される。
【０００７】
前記邪魔板が円盤状に設けられ、水平にスルーホールの中心部に設置される。
【０００８】
前記邪魔板の上表面が滑らかな面に設けられ、或いは、その表面にリブ又はバンプが設けられる。
【０００９】
底部邪魔板とスルーホールの側壁との間に四つの小穴が設けられ、小穴が９０度の間隔で配列されて且つ邪魔板のスルーホールの側壁に近傍に設置される。
【００１０】
前記スルーホールの側壁の上に位置する吸気口が金属フィルタに近接して設置される。
【００１１】
コーヒー液が単穴金属フィルタから高速で噴出されてから底部の邪魔板に衝突すると、底部の邪魔板に邪魔させてコーヒー液を分散させて空気と混合してからコーヒーの泡が生成され、底部の邪魔板の小穴から流れ出されてから内部に圧力差が出て側壁の小穴で空気を吸って且つ噴出したコーヒー液と混合され、コーヒー液が連続的に流れ出る時にまた空気も続いて小穴に入れてコーヒー液と混合されてコーヒーの泡が生成され、生成したコーヒーの泡がコーヒーの割合の２５％以上に占められる。豊かなコーヒー泡で更に消費者からコーヒーに対する愛着が得る。
【図面の簡単な説明】
【００１２】
【図１】本考案のコーヒー発泡装置の概略斜視状態を示す図である。
【図２】本考案のコーヒー発泡装置の断面状態を示す図である。
【図３】図２のＡ部の局部拡大状態を示す図である。
【図４】本考案のコーヒー発泡装置を見下す状態を示す図である。
【考案を実施するための形態】
【００１３】
本考案の実施例では、図１から図３までを参照して、コーヒー発泡装置には、コーヒーカートリッジ１を有して、前記コーヒーカートリッジ１の底部の中央部にノズル本体２が設けられ、前記ノズル本体２の中心部にコーヒーのスルーホール８が設けられ、当スルーホール８がコーヒーカートリッジ１の底部の近傍の一端に単穴金属フィルタ３が設けられ、前記単穴金属フィルタ３とコーヒーカートリッジ１が干渉嵌めで固定され、当単穴金属フィルタ３の中央部に小穴４が設けられ、当スルーホール８のもう一端に邪魔板６が設けられ、邪魔板６が側壁に近傍に四つの小穴７が設けられ、小穴が９０度の間隔で配列されて且つ邪魔板６のスルーホール８の側壁に近傍に設置され、単穴金属フィルタ３と邪魔板６との間に位置するノズル本体２の側壁に外部と連通される吸気口５が設けられ、吸気口５の金属フィルタ３に近く端部が、外部に高くして内部に低くするように斜めに設置される。
【００１４】
当単穴金属フィルタ３の小穴４の直径がコーヒーのスルーホール８の内径より最も小さく設けられる。
【００１５】
前記邪魔板が円盤状に設けられ、水平にスルーホール８の中心部に設置され、その上表面が滑らかな面に設けられ、また、その上表面にリブも配布して設けられ、衝突効果が強化される。
【００１６】
コーヒー液が単穴金属フィルタ３の小穴４から高速で噴出され、底部の邪魔板６に衝突すると、底部の邪魔板６に邪魔させてコーヒー液を分散させて空気と混合してからコーヒーの泡が生成され底部の邪魔板６に位置する四つの小穴７から流れ出し、コーヒーのスルーホール８の内部に圧力差が出て、側壁の吸気口５によって空気を吸って且つ単穴金属フィルタ３の小穴４から噴出したコーヒー液と混合され、コーヒー液が連続的に流れ出る時にまた空気も続いて小穴に入れてコーヒー液と混合されてコーヒーの泡が生成され、生成したコーヒーの泡がコーヒーの割合の２５％以上に占められる。
【００１７】
以上で述べたのはわずか本考案の一つの具体的な実施の形態だけである。しかし、本考案のデザインアイディアはこれに限定されるものではなく、すなわち、本考案のアイディアに基づいて変形させることが可能であり、それらは本考案の範囲から排除するものではない。
【産業上の利用可能性】
【００１８】
本考案のコーヒー発泡装置には、コーヒー液が単穴金属フィルタから高速で噴出されてから底部邪魔板に衝突すると、底部邪魔板に邪魔させてコーヒー液を分散させて再び空気と混合することによりコーヒーの泡が生成され、圧力差で空気を側壁の小穴に吸わせて、コーヒー液が連続的に流れ出る時にまた空気も続いて小穴に入れてコーヒー液と混合されてコーヒーの泡が生成されることにより、豊かなコーヒー泡で更に消費者からコーヒーに対する愛着が得られる。
【符号の説明】
【００１９】
１  コーヒーカートリッジ
２  ノズル本体
３  単穴金属フィルタ
４  小穴
５  吸気口
６  邪魔板
７  小穴
８  スルーホール
【図１】
0003188802.tif 000003
【図２】
0003188802.tif 000004
【図３】
0003188802.tif 000005
【図４】
0003188802.tif 000006